(57)【特許請求の範囲】
【請求項１】
透光性を有する非透湿性シートから形成されたマスク本体を有し、
マスク本体は、このマスク本体の上下方向の上側に位置して装着者の顔を覆う顔用シート部と、前記マスク本体の上下方向の下側に位置して前記顔用シート部と一体的に設けられ装着者の顎を覆う顎用シート部とから形成され、
前記顔用シート部と前記顎用シート部との間には、前記マスク本体の左右方向の両端部から左右方向の中央部に向かって切込み形成された切断部と、これら切断部の間に位置する非切断部とが設けられ、
前記顔用シート部は、左右方向の両端側に上下方向に沿って形成され前記顔用シート部の左右方向に並列した複数の顔用シート耳掛け部と、装着者の少なくとも鼻または口のいずれかに対応する位置に形成された呼吸用開口部とを備え、
前記顎用シート部は、この顎用シート部の左右方向の両端側に上下方向に沿って形成され前記顎用シート部の左右方向に並列した複数の顎用シート耳掛け部を備え、
マスク本体に形成された開口部は、顔用シート耳掛け部、呼吸用開口部および顎用シート耳掛け部のみである
ことを特徴とするパック用シート。
【請求項２】
顎用シート部は、左右方向の両端部が中央部よりマスク本体の上下方向の上側に形成され、
切断部は、非切断部からマスク本体の左右方向の両端に向かって上方に傾斜状に形成された
ことを特徴とする請求項１記載のパック用シート。
【請求項３】
顎用シート耳掛け部は、マスク本体の上下方向に対して傾斜状に形成され、装着者の耳に掛ける際には、顔用シート耳掛け部と前記顎用シート耳掛け部とが略平行な状態になる
ことを特徴とした請求項１または２記載のパック用シート。
【発明の詳細な説明】
【技術分野】
【０００１】
本発明は、顔を覆うためのマスクであって、特にローションパックの際に併用するパック用シートに関する。
【背景技術】
【０００２】
美容液やクリーム等を顔に浸透させ易くし、美容液やクリーム等が十分に効果を発揮できるような顔の状態にする方法として、例えば化粧水等を含浸させたコットンを顔に貼り付け、前記コットンに含浸した化粧水を顔に吸収させるローションパック等のパックが知られている。
【０００３】
そして、例えばローションパック等のパックを行う際に、コットンを顔に貼り付け、さらにこのコットンの外側をラップ等の非透湿性のシートにて覆うことにより、前記パックの効果を高めることができる。
【０００４】
従来、このようなパックの際の被覆用シートとしては、顔の形状に合わせて成形され、装着した際に目、鼻、口のそれぞれに対応する部分が開口されただけのパック用マスクがある。
【０００５】
また、柔軟性のある扁平シートで形成されたマスク部と、所定の長さからなる結び紐部とからなり、前記マスク部の左右方向の両端部に耳掛け部が設けられ、前記マスク部の下側に前記結び紐部を連接して設けられた構成の顔面マスクが知られている（例えば、特許文献１参照。）。
【特許文献１】実開平３−１４１１７号公報（第３，４頁、第１，２図）
【発明の開示】
【発明が解決しようとする課題】
【０００６】
しかしながら、上述した目、鼻、口に対応する部分を開口しただけのパック用マスクは、顔を覆うだけで、前記パック用マスクが装着者の顔に固定されていないので、前記パック用マスクが装着者の顔から脱落し易く、パック用マスクで顔を覆った状態を保持し難い問題が考えられる。
【０００７】
また、特許文献１に記載された顔面マスクでは、この顔面マスクの左右方向の両端部に耳掛け部が設けられ、この耳掛け部を装着者の耳に掛けることによって、前記顔面マスクの上下方向の上側が装着者の顔に密着して覆った状態で保持され、結び紐部を首の後ろ側に回して結ぶことにより、前記顔面マスクの上下方向の下側が装着者の顎に密着した状態で保持される構成であるので、装着する際に前記結び紐部を装着者の首の後ろ側で結ぶことが手間となり、容易に顔面マスクを装着できない問題が考えられる。
【０００８】
さらに、前記結び紐部の結ぶ位置や結ぶ強さによって、前記顔面マスクの装着者の顔への密着性が変化してしまい、前記顔面マスクを装着者の顔全体に確実に密着できない問題が考えられる。
【０００９】
本発明はこのような点に鑑みなされたもので、容易に装着できかつ装着した際に脱落し難く、装着者の顔全体に確実に密着できるパック用シートを提供する。
【課題を解決するための手段】
【００１０】
請求項１に記載された発明は、透光性を有する非透湿性シートから形成されたマスク本体を有し、マスク本体は、このマスク本体の上下方向の上側に位置して装着者の顔を覆う顔用シート部と、前記マスク本体の上下方向の下側に位置して前記顔用シート部と一体的に設けられ装着者の顎を覆う顎用シート部とから形成され、前記顔用シート部と前記顎用シート部との間には、前記マスク本体の左右方向の両端部から左右方向の中央部に向かって切込み形成された切断部と、これら切断部の間に位置する非切断部とが設けられ、前記顔用シート部は、左右方向の両端側に上下方向に沿って形成され前記顔用シート部の左右方向に並列した複数の顔用シート耳掛け部と、装着者の少なくとも鼻または口のいずれかに対応する位置に形成された呼吸用開口部とを備え、前記顎用シート部は、この顎用シート部の左右方向の両端側に上下方向に沿って形成され前記顎用シート部の左右方向に並列した複数の顎用シート耳掛け部を備え、マスク本体に形成された開口部は、顔用シート耳掛け部、呼吸用開口部および顎用シート耳掛け部のみであるものである。
【００１１】
請求項２に記載された発明は、請求項１に記載されたパック用シートにおいて、顎用シート部は、左右方向の両端部が中央部よりマスク本体の上下方向の上側に形成され、切断部は、非切断部からマスク本体の左右方向の両端に向かって上方に傾斜状に形成されたものである。
【００１２】
請求項３に記載された発明は、請求項１または２記載のパック用シートにおいて、顎用シート耳掛け部は、マスク本体の上下方向に対して傾斜状に形成され、装着者の耳に掛ける際には、顔用シート耳掛け部と前記顎用シート耳掛け部とが略平行な状態になるものである。
【発明の効果】
【００１３】
請求項１に記載された発明によれば、顔用シート耳掛け部および顎用シート耳掛け部が設けられたことにより、前記顔用シート耳掛け部および前記顎用シート耳掛け部を装着者の耳に掛けるだけで容易に装着でき、顔用シート部および顎用シート部の両方が保持されるので、パック用シートが装着者の顔から脱落し難い。
【００１４】
また、前記顔用シート耳掛け部および前記顎用シート耳掛け部は、前記顔用シート部および前記顎用シート部の左右方向に並列して複数形成されているので、様々な顔の形や大きさの装着者であっても対応可能であり、装着者の顔に確実に密着できる。
【００１５】
さらに、マスク本体に形成される開口部は、顔用シート耳掛け部、顎用シート耳掛け部および呼吸用開口部のみとすることにより、開口部を最小限に抑えることができ、マスク本体を開口することによるパック用シートの密閉性の低下を抑制できる。
【００１６】
請求項２に記載された発明によれば、顎用シート部は両端部が中央部よりマスク本体の上下方向の上側に形成され、切断部が非切断部から前記マスク本体の左右方向の両側に向かって上方に傾斜状に形成されたことにより、前記顎用シート部が装着者の顔の形状に対応し易く、前記顎用シート部の密着性を向上できる。
【００１７】
請求項３に記載された発明によれば、顎用シート耳掛け部がマスク本体の上下方向に対して傾斜状に形成され、装着者の耳に掛ける際に、顔用シート耳掛け部と前記顎用シート耳掛け部とが略平行な状態となることにより、前記顎用シート耳掛け部が耳に掛け易くなるので、より容易に装着できる。
【００１８】
また、前記顎用シート耳掛け部を耳に掛けた際に、前記顎用シート部に例えばたるみやねじれ等が生じ難く、前記顎用シート部の密着性を向上できる。
【発明を実施するための最良の形態】
【００１９】
以下、本発明の第１の実施の形態の構成を図１または図２を参照しながら詳細に説明する。
【００２０】
図１に示されるパック用シート１は、例えばローションパック等のパックをする際に使用する顔用のシート体である。
【００２１】
例えばローションパック等のパックの際には、図２に示されるように、例えば化粧水等を含浸させたコットン２を顔に貼り付け、このコットン２の外側から顔を覆うように、パック用シート１を装着する。
【００２２】
パック用シート１はマスク本体３を有しており、このマスク本体３は、非透湿性シートから形成され、できるだけ薄くて柔らかい素材を用いることが好ましく、例えば、ポリ塩化ビニル、ポリ塩化ビニリデン、ポリエチレン、ＰＥＴ（Poly Ethylene Terephthalatematerial）等の合成樹脂製の素材で形成されたフィルム状のシートで形成される。
【００２３】
マスク本体３の上下方向の上側には、装着者の顔を覆う略矩形状の顔用シート部４が形成されている。
【００２４】
また、マスク本体３の上下方向の下側には、顔用シート部４と一体的に設けられ、装着者の顎を覆う顎用シート部５が形成されている。
【００２５】
顔用シート部４の上下方向の長さは、顎用シート部５の上下方向の長さより長く形成され、左右方向の長さは、顔用シート部４と顎用シート部５とが略同じ長さで形成されているか、または、顎用シート部５が顔用シート部４より左右方向の両側にやや長く形成されている。
【００２６】
このように、顔用シート部４と顎用シート部５との左右方向の長さを略同じ長さの構成とすることにより、パック用シート１を製造する際に、材料のロスが少なく効率よく製造できるので好ましい。
【００２７】
顔用シート部４と顎用シート部５との間の境界部分には、マスク本体３の左右方向の両端部から左右方向の中央部に向かって切込み形成された切断部６が設けられ、さらに、両端部から形成された切断部６の間には非切断部７が設けられている。
【００２８】
このように、顔用シート部４と顎用シート部５との境界部分に切断部６が設けられたことにより、顎用シート部５は帯状に形成される。
【００２９】
顔用シート部４の左右方向の両端側には、顔用シート部４の上下方向に沿って開口した長孔状の耳掛け部としての顔用シート耳掛け部８が、顔用シート部４の左右方向に並列して設けられている。
【００３０】
また、顔用シート部４の左右方向の中央部であり、装着者の少なくとも鼻または口のいずれかに対応する位置には呼吸用開口部９が形成されている。
【００３１】
ここで、図２に示されるように、呼吸用開口部９は、装着者の鼻に対応する位置に設けられ、切除部10とスリット部11とが形成されている。切除部10は、顔用シート部４から完全に切除して形成され、スリット部11は、両端部が切除部10の上端から連続して切断して上端部を切断せずにマスク本体３と一体的に形成されている。
【００３２】
なお、スリット部11は直線状に切込み形成されることに限定されず、例えば曲線等でもよい。
【００３３】
このように、顔用シート部４の鼻に対応する部分に切除部10とスリット部11が形成された呼吸用開口部９を設ける構成にすることにより、装着者の鼻に対応する部分の開口面積を抑え、パック用シート１の密閉性の低下を抑制でき、パックのコットン２に含浸された化粧水の蒸発をより抑制できるので好ましいが、このような構成に限定はされず、例えばスリット部11を形成せず、装着者の鼻に対応する部分を全て切除して完全に開口された呼吸用開口部９としてもよい。
【００３４】
なお、この実施の形態では、呼吸用開口部９として、装着者の鼻に対応する部分に位置する呼吸用開口部９が設けられた構成としたが、このような構成には限定されず、少なくとも装着者の鼻または口のいずれかに対応する位置に呼吸用開口部９が設けられていればよい。例えば、装着者の鼻および口の両方に対応する呼吸用開口部９を一つ設け、口に対応する部分に切除部10が形成され、鼻に対応する部分にスリット部11が形成された構成にすると、パック用シート１を装着していても装着者が呼吸し易く、さらに、呼吸用開口部の開口面積も抑えられる。また、例えば、装着者の口のみに呼吸用開口部９を設ける構成や装着者の鼻と口とに対応する呼吸用開口部９をそれぞれ別々に設ける構成等としてもよい。
【００３５】
顎用シート部５の左右方向の両端側には、顎用シート部５の上下方向に沿って開口した長孔状の耳掛け部としての顎用シート耳掛け部12が顎用シート部５の左右方向に並列して設けられている。
【００３６】
なお、この実施の形態では、顔用シート耳掛け部８および顎用シート耳掛け部12がそれぞれ３個ずつ形成されているが、複数形成されていればその数は３個に限定されず、適宜設定できる。また、顔用シート耳掛け部８と顎用シート耳掛け部12との数が異なっていてもよい。
【００３７】
さらに、顔用シート耳掛け部８および顎用シート耳掛け部12は、マスク本体３を長孔状に開口して形成されることにより、顔用シート耳掛け部８および顎用シート耳掛け部12の位置が分かり易くなり、スムーズに装着できるので好ましいが、顔用シート耳掛け部８および顎用シート耳掛け部12が長孔状に開口された構成には限定されず、顔用シート耳掛け部８および顎用シート耳掛け部12として例えば線状や点線状等の切込みを設ける構成でもよい。
【００３８】
なお、複数の顔用シート耳掛け部８および顎用シート耳掛け部12を設けられたことにより、耳に掛ける顔用シート耳掛け部８および顎用シート耳掛け部12を選択することによってマスク本体３のサイズの調整ができるので、伸縮性を有するシートにてマスク本体３を形成する必要はないが、必要に応じて、伸縮性を有するシートにてマスク本体３を形成してもよい。
【００３９】
また、マスク本体３は透光性を有するシートにて形成されており、装着者の目に対応する部分を開口する必要がない。このため、マスク本体３に形成される開口部は、顔用シート耳掛け部８、呼吸用開口部９および顎用シート耳掛け部12のみにできる。
【００４０】
このようにマスク本体３に形成される開口部の数をできるだけ少なく抑えることによって、マスク本体３を開口することによるパック用シート１の密閉性の低下を抑制できる。
【００４１】
次に、上記第１の実施の形態の作用および効果を説明する。
【００４２】
パック用シート１の装着に際しては、例えば化粧水等を含浸させたコットン２を顔に貼り付け、マスク本体３の呼吸用開口部９を装着者の鼻および口に対応させるようにマスク本体３によってコットン２が貼り付けられた顔を覆い、マスク本体３を装着者の顔に密着させる。
【００４３】
顔用シート耳掛け部８を装着者の耳に掛けて、顔用シート部４が顔に密着した状態を保持させる。
【００４４】
非切断部７を装着者の顎の最下部近傍に対応させて、下顎に沿うように顎用シート部５を装着者の顎から首方向に折り曲げ、顎用シート部５によって顎を覆い、顎用シート部５を装着者の顎に密着させる。
【００４５】
さらに、顎用シート部５を顎に密着させた状態で、顎用シート部５の左右方向の両端部を上方に引き上げ、顎用シート耳掛け部12を装着者の耳に掛けて、顎用シート部５が顎に密着した状態を保持する。
【００４６】
このように、パック用シート１に顔用シート耳掛け部８および顎用シート耳掛け部12が設けられたことにより、顔用シート耳掛け部８と顎用シート耳掛け部12とを装着者の耳に掛けるだけで、容易に装着でき、顔用シート耳掛け部８および顎用シート耳掛け部12によって顔用シート部４および顎用シート部５の両方が装着者の顔に密着した状態を保持できるので、パック用シート１が装着者の顔から脱落し難い。
【００４７】
また、顔用シート耳掛け部８および顎用シート耳掛け部12は、顔用シート部４および顎用シート部５の左右方向に並列して複数形成されているので、装着者の耳に掛ける顔用シート耳掛け部８および顎用シート耳掛け部12を選択することにより、パック用シート１のサイズ調整ができる。したがって、様々な顔の形や大きさの装着者であっても対応可能であり、パック用シート１を装着者の顔全体に確実に密着でき、例えばローションパック等のパックの効果を向上できる。
【００４８】
顔用シート部４と顎用シート部５との間の境界部に切断部６が形成され、顎用シート部５に顎用シート耳掛け部12が形成されたことにより、顎用シート部５を上方へ引き上げて、装着者の耳に顎用シート耳掛け部12を掛けて顎用シート部５を保持できるので、顎用シート部５を保持するために、顎用シート部５を長く形成する必要がなく、顔用シート部４と顎用シート部５との左右方向の長さを略同じ長さにできるので、製造する際の材料のロスが少なく効率よく製造できる。
【００４９】
顔用シート部４には、装着者の少なくとも鼻または口のいずれかに対応する位置に呼吸用開口部９が形成されており、この呼吸用開口部９が切除部10とスリット部11とから形成されることより、呼吸用開口部９の開口面積を抑えることができ、マスク本体３を開口することによるパック用シート１の密閉性の低下を抑制できる。
【００５０】
顔用シート耳掛け部８および顎用シート耳掛け部12を長孔状に開口して形成することにより、パック用シート１を装着する際に、顔用シート耳掛け部８および顎用シート耳掛け部12の位置が分かり易く、耳に掛け易くできるので、パック用シート１の装着をより容易にできる。
【００５１】
マスク本体３に形成される開口部を、顔用シート耳掛け部８、呼吸用開口部９および顎用シート耳掛け部12のみとして、開口部を少なく抑えることにより、マスク本体３を開口することによるパック用シート１の密閉性の低下を抑制できる。したがって、例えば化粧水等を含浸させたコットン２からの化粧水の蒸発を抑制でき、ローションパック等のパックの効果を向上できる。
【００５２】
次に、第２の実施の形態を図３を参照して説明する。なお、上記の実施の形態と同一の構成および作用については、同一符号を付してその説明を省略する。
【００５３】
図３に示されるように、マスク本体３の顎用シート部５は、左右方向の両端部が中央部よりマスク本体３の上下方向の上側に位置するように形成され、さらに、切断部６は、非切断部７からマスク本体３の左右方向の両端に向かって上方に傾斜状に形成されている。
【００５４】
切断部６が非切断部７から上方に傾斜状に切込み形成されているので、顔用シート部４は、マスク本体３の左右方向に長い略楕円形の形状に形成され、顎用シート部５は、略楕円形状の顔用シート部４の下側縁部に沿うように帯状に形成されている。
【００５５】
顎用シート耳掛け部12を装着者の耳に掛ける際に、顎用シート部５の両端部を上方へ引き上げると顎用シート部５には皺や隙間等が形成され易いが、左右方向の両端部が中央部より上下方向の上方に位置するように形成されることにより、顎用シート部５の両端部を引き上げても顎用シート部５に皺や隙間等が形成され難い。したがって、顎用シート部５が装着者の顔の形状に対応し易く、装着者の顎により確実に密着できるので、顎用シート部５の密着性を向上できる。
【００５６】
次に、第３の実施の形態を図４を参照して説明する。なお、上記の実施の形態と同一の構成および作用については、同一符号を付してその説明を省略する。
【００５７】
図４に示されるように、顎用シート部５および切断部６は、マスク本体３の上下方向に対して鈍角な傾斜状に形成され、顎用シート耳掛け部12は、マスク本体３の上下方向に対して傾斜状に形成されて、上端部が下端部よりマスク本体３の左右方向の外側に位置している。
【００５８】
本来、顎用シート部５がより装着者の顎に密着するには、顎用シート部５および切断部６をマスク本体３の上下方向に対して鋭角に形成する必要があるが、顎用シート部５および切断部６をマスク本体３の上下方向に対して鋭角に形成すると、顔用シート部４が装着者を覆いきれなくなる可能性がある。
【００５９】
したがって、顎用シート部５および切断部６が、マスク本体３の上下方向に対して鈍角な傾斜状に形成されることにより、パック用シート１を装着した際に、確実に顔用シート部４が装着者の顔を覆うことができ、顎用シート部５がより装着者の顎に密着できる。
【００６０】
このようなパック用シート１では、装着の際に、顎用シート部５の左右方向の両端部が斜め上方に引き上げられる。
【００６１】
そこで、顎用シート耳掛け部12がマスク本体３の上下方向に対して傾斜状に形成されると、顎用シート部５の両端部を斜め上方に引き上げた際に、顎用シート耳掛け部12が略鉛直な状態になり、顔用シート耳掛け部８と顎用シート耳掛け部12とが略平行な状態になる。
【００６２】
このように、顔用シート耳掛け部８と顎用シート耳掛け部12とが略平行な状態なることにより、顎用シート部５が装着者の耳に掛け易くなり、より容易にマスク本体３を装着できる。
【００６３】
また、パック用シート１を装着した際に、顔用シート耳掛け部８と顎用シート耳掛け部12とが略平行な状態で装着者の耳に掛けられるので、顎用シート部５に例えばたるみやねじれ等が生じ難く、顎用シート部５の密着性を向上できるとともに、顎用シート耳掛け部12が耳からずれ難く、パック用シート１の脱落を防止できる。
【図面の簡単な説明】
【００６４】
【図１】本発明の第１の実施の形態のパック用シートを示す平面図である。
【図２】同上パック用シートの使用状態を示す説明図である。
【図３】本発明の第２の実施の形態のパック用シートを示す平面図である。
【図４】本発明の第３の実施の形態のパック用シートを示す平面図である。
【符号の説明】
【００６５】
１    パック用シート
３    マスク本体
４    顔用シート部
５    顎用シート部
６    切断部
７    非切断部
８    顔用シート耳掛け部
９    呼吸用開口部
12    顎用シート耳掛け部
【図１】
0005065820.tif 000002
【図２】
0005065820.tif 000003
【図３】
0005065820.tif 000004
【図４】
0005065820.tif 000005